(57)【要約】【課題】使い勝手が良いばかりか見栄えが劣るようなことがなく、しかも、箱本体内を常に清潔に保つことができるようにしたペーパー収納箱を提供する。【解決手段】ロール式のトイレットペーパーＰ１などが収納される中空筒状の箱本体１と、前記トイレットペーパーＰ１などを引き出すための取出口６を開設し得る取出領域６ａが成形され箱本体１の上端開放面１ａを塞ぐ天蓋２と、箱本体１の下端開放面１ｂを塞ぐ底蓋３と、からなり、前記底蓋３には指を挿通する挿通孔１０を開設し、該挿通孔１０に指を挿通して操作することにより底蓋３が箱本体１の下端開放面１ｂに着脱自在に取着されるようにした。【選択図】図３
2007007023.tif 000002
【特許請求の範囲】
【請求項１】
ロール式のトイレットペーパーや折畳み式のティッシュペーパーが収納される中空筒状の箱本体と、前記ロール式のトイレットペーパーや折畳み式のティッシュペーパーを引き出すための取出口を開設し得る取出領域が成形され前記箱本体の上端開放面を塞ぐ天蓋と、前記箱本体の下端開放面を塞ぐ底蓋と、からなるペーパー収納箱であって、
前記底蓋には指を挿通する挿通孔を開設し、前記挿通孔に指を挿通して操作することにより前記底蓋が前記箱本体の下端開放面に着脱自在に取着されるようにしたことを特徴とするペーパー収納箱。
【請求項２】
前記天蓋上面に前記取出領域の取出口を開設すると共に該取出口を覆いかつ該取出口から引き出されるロール式のトイレットペーパーや折畳み式のティッシュペーパーの始端部を前記天蓋との間で挟み保持するための被覆片を着脱自在に取着した請求項１記載のペーパー収納箱。
【発明の詳細な説明】
【技術分野】
【０００１】
本発明は、ロール式のトイレットペーパーや折畳み式のティッシュペーパーを収納してちり紙として使用するようにしたペーパー収納箱に関するものである。
【背景技術】
【０００２】
従来、例えば、ロール式のトイレットペーパーを収納しちり紙として使用するようにしたペーパー収納箱がある。このペーパー収納箱は、紙製であって箱本体が中空直方体形状に成形され、上面一側に天蓋が開閉自在に連設されると共に下面はその周端縁に連設された各フラップを互いに組合わせて接着してなる密閉状の底蓋により塞がれている。そして、前記天蓋を開けると共に箱本体内にロール式のトイレットペーパーを縦置きにして収納し、天蓋に開設された取出口からそのトイレットペーパーを順に引き出して使用できるようにしている（例えば、特許文献１参照。）。
【特許文献１】実用新案登録第３００６２２５号公報（第５頁段落０００５、０００６、図１、図４）
【発明の開示】
【発明が解決しようとする課題】
【０００３】
しかしながら、前記特許文献１のペーパー収納箱は、紙製であって上面に取出口の開設された天蓋が開閉自在に連設されており、一方、下面は箱本体と一体に成形される密閉状の底蓋により塞がれている。このため、トイレットペーパーを頻繁に引き出して使用していると、自然に天蓋が開き易くなり使い勝手が悪い。しかも、天蓋の下側に隙間ができると、見栄えも劣るという課題がある。
【０００４】
また、前記上面の天蓋が開閉する構成であることから、前記のような天蓋下側に生ずる隙間を介して箱本体内に埃やゴミが入り易い。これら埃やゴミは箱本体内の底面隅部に溜まる。そこで、使い切った後のトイレットペーパー補充時に、箱本体内も同時に掃除するように心掛ければ良いが、箱本体の奥端部は掃除し難にくいこともあってともすると忘れがちになる傾向が強い。このように、掃除を怠ると、徐々に底壁内面に埃、ゴミが堆積して溜まり、本来清潔感を保つべきちり紙が逆に埃にまみれてしまい、衛生上好ましくないという課題がある。
【０００５】
そこで、本発明は上記課題を解決すべくなされたもので、使い勝手が良いばかりか見栄えが劣るようなこともなく、しかも、箱本体内に埃やゴミが溜まりにくくちり紙を常に清潔に保つことができるようにしたペーパー収納箱を提供することを目的とするものである。
【課題を解決するための手段】
【０００６】
かかる目的を達成するため本発明に係るペーパー収納箱は、ロール式のトイレットペーパーや折畳み式のティッシュペーパーが収納される中空筒状の箱本体と、ロール式のトイレットペーパーや折畳み式のティッシュペーパーを引き出すための取出口を開設し得る取出領域が成形され箱本体の上端開放面を塞ぐ天蓋と、箱本体の下端開放面を塞ぐ底蓋と、からなり、前記底蓋には指を挿通する挿通孔を開設し、該挿通孔に指を挿通して操作することにより底蓋が箱本体の下端開放面に着脱自在に取着されるようにした。
【０００７】
この際、前記天蓋上面に取出領域の取出口を開設すると共に該取出口を覆いかつ該取出口から引き出されるロール式のトイレットペーパーや折畳み式のティッシュペーパーの始端部を天蓋との間で挟み保持するための被覆片を着脱自在に取着することが好ましい。
【発明の効果】
【０００８】
本発明に係るペーパー収納箱は、底蓋に指を挿通する挿通孔を開設することにより該底蓋を着脱自在に取着するようにしたので、天蓋はそのままとし、底壁を取り外して下端開放面からロール式のトイレットペーパーや折畳み式のティッシュペーパーが補充できる。よって、頻繁にロール式のトイレットペーパーや折畳み式のティッシュペーパーを引き出しても、天蓋が開くことはなく使い勝手が良いばかりか、見栄えが劣るようなこともない。
【０００９】
また、天蓋は開くことなく箱本体の上端開放面を密閉状に塞ぐので、本来、箱本体内に埃やゴミが入りにくく、入ったとしても底蓋を取り外したときに該底壁の内面を掃除すればよく、その掃除も簡単に行なえる。しかも、容器本体内を常に清潔に保つことができ、衛生上好ましいという効果がある。
【００１０】
前記天蓋上面に前記取出領域の取出口を開閉すると共に該取出口を覆いかつ該取出口から引き出されるロール式のトイレットペーパーや折畳み式のティッシュペーパーの始端部を天蓋との間で挟み保持するための被覆片を着脱自在に取着するようにすれば、取出口が覆われるので、例えば出荷のため工場からの輸送中や倉庫での保管中に、前記取出口から埃やゴミが入るのを防ぐことができる。また、ちり紙として使用する際には、被覆片を取り外すのみで、ロール式のトイレットペーパーや折畳み式のティッシュペーパーの始端部がすでに出ていることから使い易く、取出口から箱本体内に指を差し入れて始端部を探すといった面倒な手間を掛ける必要がないという効果がある。
【発明を実施するための最良の形態】
【００１１】
以下、本発明に係るペーパー収納箱の実施の形態を図面に基づき説明する。なお、本発明に係るペーパー収納箱は、トイレで使用されるロール式のトイレットペーパー及び一般の箱詰された畳式のティッシュペーパーのいずれも収納して使用できる。そこで、第一実施の形態では、まずロール式のトイレットペーパーを収納するペーパー収納箱について説明する。
【００１２】
図１乃至４は、第一実施の形態に係るペーパー収納箱（以下、単に「第一収納箱」という。）を示すものであり、図１は第一収納箱の分解斜視図、図２は同平面図、図３は同中央縦断面図、図４は同使用状態を示す斜視図である。第一収納箱Ａ１は、厚紙により成形され、箱本体１と天蓋２と底蓋３とから構成される。
【００１３】
箱本体１は、通常のロール式のトイレットペーパーＰ１が縦置きで収納できる程度の内径と高さを有し、上端と下端が開放している。また、上端縁と下端縁はいずれも内側へ円弧状に折り曲げてカール部４ａ，４ｂが設けられている。箱本体１の外周面であって上部の対向位置に、半円弧状の把手杆５の各下端部が回動自在に軸着される。これにより、第一収納箱Ａ１が把手杆５を持って容易に持ち歩くことができるようになっている。図示は省略するが、箱本体１の外周面には例えば一年のカレンダーまたはキャラクター等の所望の図柄・広告を印刷することが好ましい。
【００１４】
天蓋２は、箱本体１の内径と同じ外径を有し、中央にはトイレットペーパーＰ１を引き出すための取出口６を開設し得る取出領域６ａが成形されている。図２に示すように、取出領域６ａには、平面正方形状のミシン目線６ｂが設けられ、このミシン目線６ｂに沿って天蓋２を破ることにより取出口６が開設される。また、ミシン目線６ｂの各角部の外側に放射状の切込み７が設けられ、ミシン目線６ｂの外周部に上方へ折り曲げ可能な切り起こし片８が一体に設けられる。そして、上端開放面１ａの内側に天蓋２を嵌め込み、上端縁のカール部４ａの内側に接着剤を介して固着する。この際、天蓋２の上面にも前記と同様に所望の図柄・広告を印刷することが好ましい。
【００１５】
底蓋３も箱本体１の内径と同じ外径を有する。そして、ほぼ中央部に指を挿通することができる程度の挿通孔１０が開設される。この底蓋３は厚紙により成形され弾力性を有している関係から、底蓋３を下端開放面１ｂから箱本体１内へ撓ませて押し込み、開いた状態でその周端縁を下端縁のカール部４ｂの上面に載せて取着することにより、底蓋３が箱本体１に対して着脱自在に取着されることになる。
【００１６】
第一収納箱Ａ１は上記構成からなり、底蓋３を取り外した状態で、下端開放面１ｂから巻芯を外したトイレットペーパーＰ１を縦置きにして入れ、底蓋３を箱本体１の下端開放面１ｂに取着してその下端開放面１ｂを塞ぐ。このようにして、例えば出荷のため工場から輸送し、または倉庫に保管しておけば、箱本体１内に埃やゴミが入らず、箱本体１内を清潔に保つことができる。
【００１７】
そして、第一収納箱Ａ１内のトイレットペーパーＰ１を例えば部屋の床面又は机の上に置いてちり紙として使用する場合は、前記ミシン目線６ｂから破って取出口６を開け、図４に示すようにトイレットペーパーＰ１の巻芯側の始端部Ｅを取出口６から少し引き出す。このようにして、第一収納箱Ａ１はトイレットペーパーＰ１をちり紙として使用することができる。また、箱本体１や天蓋２の外周面に印刷された図柄などのデザインが人目を引き、一種のインテリアとしても機能する。
【００１８】
この際、取出口６は平面正方形状をなし、しかも、各内周縁の切り起し片８がそれぞれ斜め上側を向いていることから、各切り起し片８の弾発力が働き、引き出したトイレットペーパーＰ１が余分に出過ぎるといったことがない。また、切断後に上端部が箱本体１内に落ち込むといったこともなく、快適に使用できる。トイレットペーパーＰ１がなくなったときは、天蓋２はそのままとし、挿通孔１０に指を差し込み引っ張れば、底蓋３が簡単に取り外しできる。そこで、下端開放面１ｂから巻芯を外した新しいトイレットペーパーＰ１を補充し、底蓋３を再び取着する。
【００１９】
このように、第一収納箱Ａ１は、底蓋３に指を挿通する挿通孔１０を開設することにより該底蓋３を着脱自在に取着するようにしたので、天蓋２はそのままとし、底壁３を取り外して下端開放面１ｂからトイレットペーパーＰ１が補充できる。よって、頻繁にトイレットペーパーＰ１を引き出しても、天蓋２が開くことはなく使い勝手が良いばかりか、見栄えが劣るようなこともない。
【００２０】
また、天蓋２は開くことなく上端開放面１ｂを密閉状に塞ぐので、本来、箱本体１内に埃やゴミが入りにくく、入ったとしても底蓋３を取り外したときに該底壁３の内面を掃除すればよく、その掃除も簡単に行なえる。よって、箱本体１内を常に清潔に保つことができ、衛生上好ましい。更に、箱本体１自体も厚紙を折り曲げるのみで成形でき、コスト的に安価である。
【００２１】
図５は第二収納箱の斜視図である。この第二収納箱Ａ２は、一般の箱詰された折畳み式の複数枚のティッシュペーパーを長手方向に対して直交する方向のほぼ中央で二分割し、このティッシュペーパーＰ２を更に長手方向に沿って二つ折りして収納するようにしたものである。よって、第二収納箱Ａ２は、第一収納箱Ａ１よりもその内径および長さが小さく成形されており、構造は第一収納箱Ａ１と全く同じである。このため、第一収納箱Ａ１と同一部位は同一番号を付して詳しい説明は省略する。
【００２２】
第二収納箱Ａ２にあっては、前記半ティッシュペーパーＰ２を縦置きにして箱本体１内に収納する。この場合も、その使用方法、半ティッシュペーパーＰ２の補充方法も第一収納箱Ａ１と同じであって、同等の作用・効果が得られる。
【００２３】
図６乃至図９は第三収納箱を示すものである。この第三収納箱Ａ３も、平面形状が楕円形をなすこと以外は第一収納箱Ａ１と構造的にほとんど同じであるので、同一部位は同一番号を付すことにより詳しい説明は省略する。この第三収納箱Ａ３は、前記一般の箱詰された折畳み式の複数枚のティッシュペーパーＰ３をその長手方向に対して直交する方向のほぼ中央で二つ折りし、その二つ折りした側が底蓋３側に位置するようにして、箱本体１内に収納している。
【００２４】
この場合、天蓋２上面の取出口６は工場から出荷される際に既に開放しており、箱本体１の下端開放面１ｂから箱本体１内にティッシュペーパーＰ３を収納した後に、図７に示すように該ティッシュペーパーＰ３の始端部Ｅを取出口６から少し引き出しておく。そして、その状態で前記天蓋２の上面に取出口６部位を覆うようにして被覆片１１を取着する。
【００２５】
すなわち、前記被覆片１１も箱本体１と同じ厚紙製であって、前記取出口６を十分に覆う横寸法を有しかつ取出口６を挟んだ天蓋２の短手方向の幅とほぼ同じ縦寸法を有する。また、その縦寸法方向の両端縁１１ａは、天蓋２のその外周縁の形状とほぼ同じ形状に成形され、縦寸法方向の一端縁１１ａを一方の上端縁のカール部４ａの下側へ差し込み、他端縁１１ａを同じく他方の上端縁のカール部４ａの下側へ差し込む。これにより、図８に示すように取出口６が覆われると共に前記ティッシュペーパーＰ３の始端部Ｅが天蓋２と被覆片１１との間で挟み込まれ保持される。この被覆片１１には、縦寸法方向の一端縁１１ａ側にその一部を切り起して摘み片１２が設けられ、この摘み片１２を摘むことにより、被覆片１１が容易に着脱できるようになっている。
【００２６】
このように、取出口６を開設すると共に被覆片１１を使用するのは、箱本体１内に前記二つ折りしたティッシュペーパーＰ３を収納する場合が好ましく、しかもその始端部Ｅを取出口６からあらかじめ少し引き出しておくと都合が良い。仮に、前記始端部Ｅを取出口６からあらかじめ引き出しておかないと、ちり紙として使用する場合に取出口６内に指を差し込みその指で始端部Ｅを探すことは容易ではないからである。そこで、第三収納箱Ａ３のティッシュペーパーＰ３をちり紙として使用する場合は、図９に示すように前記被覆片１１を取り外せば始端部Ｅが取出口６から出ており使い易い。
【００２７】
また、被覆片１１を取着しておけば取出口６が覆われるので、出荷のため工場からの輸送中や倉庫での保管中に、前記取出口６から埃やゴミが入るのを防ぐこともできる。第三収納箱Ａ３についてのみ被覆片１１を取着した場合を説明したが、前記第一・第二収納箱Ａ１，Ａ２についても同様に取出口６を開設しておき天蓋２上面に被覆片１１を取着でき、同様の作用・効果が得られる。
【００２８】
また、第三収納箱Ａ３についても、天蓋２はそのままとし底壁３を取り外して下端開放面１ｂからティッシュペーパーＰ３が補充でき、頻繁にティッシュペーパーＰ３を引き出しても、天蓋２が開くことはなく使い勝手が良いばかりか、見栄えが劣るようなこともない。また、天蓋２は開くことなく箱本体１の上端開放面１ａを密閉状に塞ぐので、箱本体１内に埃やゴミが入りにくく、入ったとしても底蓋３を取り外したときに該底壁３の内面を掃除すればよくその掃除も簡単に行なえ、しかも、箱本体１内を常に清潔に保つことができ、衛生上好ましいという効果がある。このように、第三収納箱Ａ３も第一・第二収納箱Ａ１，Ａ２で説明したのと同じ作用・効果が得られることは勿論である。
【図面の簡単な説明】
【００２９】
【図１】第一収納箱の分解斜視図。
【図２】同平面図。
【図３】同中央縦断面図。
【図４】同使用状態を示す斜視図。
【図５】第二収納箱の使用状態を示す斜視図。
【図６】第三収納箱の分解斜視図。
【図７】同被覆片を取着する状態を示す斜視図。
【図８】同中央縦断面図。
【図９】同使用状態を示す斜視図。
【符号の説明】
【００３０】
１                箱本体
１ａ              上端開放面
１ｂ              下端開放面
２                天蓋
３                底蓋
６                取出口
６ａ              取出領域
１０              挿通孔
１１              被覆片
Ａ１              第一収納箱
Ａ２              第二収納箱
Ａ３              第三収納箱
Ｅ                始端部
Ｐ１              トイレットペーパー
Ｐ２              半ティッシュペーパー
Ｐ３              ティッシュペーパー
【図１】
2007007023.tif 000003
【図２】
2007007023.tif 000004
【図３】
2007007023.tif 000005
【図４】
2007007023.tif 000006
【図５】
2007007023.tif 000007
【図６】
2007007023.tif 000008
【図７】
2007007023.tif 000009
【図８】
2007007023.tif 000010
【図９】
2007007023.tif 000011